(57)【要約】【課題】会員のプライバシーを保ちつつ、会員のライフガードを確実に行うこと。【解決手段】会員が装着する装着具としての会員証バンドの操作手段としての緊急ボタンの操作により、少なくとも緊急を知らせる信号が送信され、無線機としてのワイヤレス無線機２０により、緊急を知らせる信号を受信して該緊急を知らせる信号が送信されると、集中監視モニター装置３０側では、ワイヤレス無線機２０からの緊急を知らせる信号を基に、表示手段としての監視モニター３１に緊急のあることが表示されるようにした。【選択図】図１
2007280004.tif 000002
【特許請求の範囲】
【請求項１】
施設を利用する会員の安全を監視するためのライフガードシステムであって、
会員が装着する、少なくとも緊急を知らせる信号を送信する際に操作される操作手段を有する装着具と、
施設内の各場所に設置され、前記緊急を知らせる信号を受信して該緊急を知らせる信号を送信する無線機と、
前記無線機からの緊急を知らせる信号を基に前記緊急があることを表示する表示手段を有する集中監視モニター装置とを備える
ことを特徴とするライフガードシステム。
【請求項２】
前記無線機は、前記設置場所に対応する無線機ＩＤを記憶する記憶手段を有し、
前記集中監視モニター装置は、前記無線機ＩＤを判別する無線機ＩＤ判別手段を有し、
前記無線機ＩＤ判別手段によって前記無線機ＩＤが判別されると、前記表示手段に前記緊急を知らせた会員の場所が特定して表示される
ことを特徴とする請求項１に記載のライフガードシステム。
【請求項３】
前記装着具は、会員ＩＤを記憶する記憶手段を有し、
前記集中監視モニター装置は、
前記会員ＩＤに対応する会員に関する情報を記憶する会員情報記憶手段と、
前記会員ＩＤを判別する会員ＩＤ判別手段とを有し、
前記会員ＩＤ判別手段によって前記会員ＩＤが判別されると、前記表示手段に前記会員に関する情報が表示される
ことを特徴とする請求項１又は２に記載のライフガードシステム。
【請求項４】
前記装着具は、非接触読取装置からの読み取り信号を受信する受信手段を有し、
前記非接触読取装置からの読み取り信号に応じて前記会員ＩＤの信号が送信される
ことを特徴とする請求項３に記載のライフガードシステム。
【請求項５】
前記装着具は、会員証バンドであることを特徴とする請求項１〜４のいずれかに記載のライフガードシステム。
【請求項６】
施設を利用する会員の安全を監視するためのライフガード方法であって、
会員が装着する装着具により、少なくとも緊急を知らせる信号が送信され、無線機により、前記緊急を知らせる信号を受信して該緊急を知らせる信号が送信されると、前記無線機からの緊急を知らせる信号を基に前記緊急のあることが表示されるステップとを有する
ことを特徴とするライフガードシステム。
【請求項７】
前記無線機からの無線機ＩＤを判別し、前記緊急を知らせた会員の場所を特定して表示させるステップを有することを特徴とする請求項７に記載のライフガード方法。
【請求項８】
前記無線機を介して得られる前記装着具からの会員ＩＤを判別し、記憶されている前記会員ＩＤに対応する会員に関する情報を表示させるステップを有することを特徴とする請求項６又は７に記載のライフガード方法。
【請求項９】
施設を利用する会員の安全を監視するためのライフガード方法を実行するためのライフガードプログラムであって、
会員が装着する装着具により、少なくとも緊急を知らせる信号が送信され、無線機により、前記緊急を知らせる信号を受信して該緊急を知らせる信号が送信されると、前記無線機からの緊急を知らせる信号を基に前記緊急のあることが表示されるステップとを有する
ことを特徴とするライフガードプログラム。
【請求項１０】
前記無線機からの無線機ＩＤを判別し、前記緊急を知らせた会員の場所を特定して表示させるステップを有することを特徴とする請求項９に記載のライフガードプログラム。
【請求項１１】
前記無線機を介して得られる前記装着具からの会員ＩＤを判別し、記憶されている前記会員ＩＤに対応する会員に関する情報を表示させるステップを有することを特徴とする請求項９又は１０に記載のライフガードプログラム。
【請求項１２】
請求項９〜１１のいずれかに記載のライフガードプログラムが記録されていることを特徴とする記録媒体。
【発明の詳細な説明】
【技術分野】
【０００１】
本発明は、ライフガードに適したライフガードシステム、ライフガード方法、ライフガードプログラム、記録媒体に関する。
【背景技術】
【０００２】
従来より、たとえばスポーツ施設やスーパー銭湯等のように不特定多数が利用する大型施設では、利用者の安全監視のために、監視カメラでモニターすることが一般的である。
【０００３】
このような利用者の安全監視を行うものとして、特許文献１では、プールを利用する利用者の手首に取り付けられるキーバンドにより、利用者に関わる情報が送信されるようにし、プール内に設けられる受信部により、利用者に関わる情報を信号として受信し、カメラにより、プール内を撮像し、ライフガード管理装置により、受信部を介して得られる利用者に関わる情報を管理し、モニターにより、カメラによって撮像されたプール内の画像やライフガード管理装置によって管理される利用者に関わる情報が表示されるようにしたライフガードシステムを提案している。
【特許文献１】特開２００４−０４６４４号公報
【発明の開示】
【発明が解決しようとする課題】
【０００４】
ところで、上述した特許文献１に示されているライフガードシステムでは、カメラによって撮像されたプール内の画像やライフガード管理装置によって管理される利用者に関わる情報が表示されるようにしている。
【０００５】
ところが、スポーツ施設やスーパー銭湯等のように不特定多数が利用する大型施設では、体調等を悪くした利用者がトイレや更衣室等に駆け込む可能性が高いが、トイレや更衣室等を監視カメラでモニターすることはプライバシーの問題があった。
【０００６】
本発明は、このような状況に鑑みてなされたものであり、上記問題点を解決することができるライフガードシステム、ライフガード方法、ライフガードプログラム、記録媒体を提供することを目的とする。
【課題を解決するための手段】
【０００７】
本発明のライフガードシステムは、施設を利用する会員の安全を監視するためのライフガードシステムであって、会員が装着する、少なくとも緊急を知らせる信号を送信する際に操作される操作手段を有する装着具と、施設内の各場所に設置され、前記緊急を知らせる信号を受信して該緊急を知らせる信号を送信する無線機と、前記無線機からの緊急を知らせる信号を基に前記緊急があることを表示する表示手段を有する集中監視モニター装置とを備えることを特徴とする。
また、前記無線機は、前記設置場所に対応する無線機ＩＤを記憶する記憶手段を有し、前記集中監視モニター装置は、前記無線機ＩＤを判別する無線機ＩＤ判別手段を有し、前記無線機ＩＤ判別手段によって前記無線機ＩＤが判別されると、前記表示手段に前記緊急を知らせた会員の場所が特定して表示されるようにすることができる。
また、前記装着具は、会員ＩＤを記憶する記憶手段を有し、前記集中監視モニター装置は、前記会員ＩＤに対応する会員に関する情報を記憶する会員情報記憶手段と、前記会員ＩＤを判別する会員ＩＤ判別手段とを有し、前記会員ＩＤ判別手段によって前記会員ＩＤが判別されると、前記表示手段に前記会員に関する情報が表示されるようにすることができる。
また、前記装着具は、非接触読取装置からの読み取り信号を受信する受信手段を有し、前記非接触読取装置からの読み取り信号に応じて前記会員ＩＤの信号が送信されるようにすることができる。
また、前記装着具は、会員証バンドであるようにすることができる。
本発明のライフガード方法は、施設を利用する会員の安全を監視するためのライフガード方法であって、会員が装着する装着具により、少なくとも緊急を知らせる信号が送信され、無線機により、前記緊急を知らせる信号を受信して該緊急を知らせる信号が送信されると、前記無線機からの緊急を知らせる信号を基に前記緊急のあることが表示されるステップとを有することを特徴とする。
また、前記無線機からの無線機ＩＤを判別し、前記緊急を知らせた会員の場所を特定して表示させるステップを有するようにすることができる。
また、前記無線機を介して得られる前記装着具からの会員ＩＤを判別し、記憶されている前記会員ＩＤに対応する会員に関する情報を表示させるステップを有するようにすることができる。
本発明のライフガードプログラムは、施設を利用する会員の安全を監視するためのライフガード方法を実行するためのライフガードプログラムであって、会員が装着する装着具により、少なくとも緊急を知らせる信号が送信され、無線機により、前記緊急を知らせる信号を受信して該緊急を知らせる信号が送信されると、前記無線機からの緊急を知らせる信号を基に前記緊急のあることが表示されるステップとを有することを特徴とする。
また、前記無線機からの無線機ＩＤを判別し、前記緊急を知らせた会員の場所を特定して表示させるステップを有するようにすることができる。
また、前記無線機を介して得られる前記装着具からの会員ＩＤを判別し、記憶されている前記会員ＩＤに対応する会員に関する情報を表示させるステップを有するようにすることができる。
本発明の記録媒体は、請求項９〜１１のいずれかに記載のライフガードプログラムが記録されていることを特徴とする。
本発明のライフガードシステム、ライフガード方法、ライフガードプログラム、記録媒体では、会員が装着する装着具により、少なくとも緊急を知らせる信号が送信され、無線機により、緊急を知らせる信号を受信して該緊急を知らせる信号が送信されると、無線機からの緊急を知らせる信号を基に緊急のあることが表示される。
【発明の効果】
【０００８】
本発明のライフガードシステム、ライフガード方法、ライフガードプログラム、記録媒体によれば、会員が装着する装着具により、少なくとも緊急を知らせる信号が送信され、無線機により、緊急を知らせる信号を受信して該緊急を知らせる信号が送信されると、無線機からの緊急を知らせる信号を基に緊急のあることが表示されるようにしたので、会員のプライバシーを保ちつつ、会員のライフガードを確実に行うことができる。
【発明を実施するための最良の形態】
【０００９】
本実施形態では、会員が装着する装着具により、少なくとも緊急を知らせる信号が送信され、無線機により、緊急を知らせる信号を受信して該緊急を知らせる信号が送信されると、無線機からの緊急を知らせる信号を基に緊急のあることが表示されるようにし、会員のプライバシーを保ちつつ、会員のライフガードが確実に行われるようにした。
【００１０】
すなわち、本実施形態では、施設の会員（利用者）に発信機能を有する、たとえば会員証バンドを装着してもらい、体調等を悪くした会員自ら発信機能を操作してもらうことで、監視員に知らせるようにした。
【００１１】
これにより、体調等を悪くした会員（利用者）の場所は、施設内の各場所に配置したたとえばワイヤレス無線機からの無線機ＩＤを基に特定される。また、体調等を悪くした会員自ら発信機能を操作してもらうことで、監視員が必要最小人数で済む。
【実施例】
【００１２】
以下、本発明の実施例の詳細について説明する。
【００１３】
図１は、本発明のライフガードシステムの一実施例を示す図である。同図に示すように、ライフガードシステムは、たとえばスポーツ施設に設置された場合を示しており、会員証バンド１０、ワイヤレス無線機２０、集中監視モニター装置３０を備えている。
【００１４】
会員証バンド１０は、図２に示すように、手首に装着する場合を想定したものであり、たとえばゴム製であって、緊急ボタン１１を有している。緊急ボタン１１は、緊急を知らせる場合に、会員が操作するものである。この緊急ボタン１１を操作すると、緊急を知らせる信号と会員ＩＤの信号とが送信されるようになっている。
【００１５】
会員証バンド１０をゴム製とすることで、会員がプールやジャグジーを利用しても防水効果が得られるとともに、悪用のため等の偽造の防止効果も得られる。なお、会員証バンド１０は、貸し出しする場合と、買い取ってもらう場合とが考えられるが、内部に後述の会員に関する情報に紐づけられた会員ＩＤが記憶されるようなっているため、個人情報流出防止等の点から会員に買い取ってもらうことが好ましい。
【００１６】
ワイヤレス無線機２０は、会員証バンド１０からの緊急ボタン１１の操作による緊急を知らせる信号と会員ＩＤの信号とを受信して集中監視モニター装置３０に通知するものである。ワイヤレス無線機２０は、更衣室、トイレ、ジャグジー、プール、スタジオ、トレーニングルームに設置されており、それぞれ無線機ＩＤ（Ｙ１〜Ｙ１１）を有している。
【００１７】
集中監視モニター装置３０は、ワイヤレス無線機２０からの無線機ＩＤ（Ｙ１〜Ｙ１１）の信号と、緊急を知らせる信号と、会員ＩＤの信号とを受信し、図３に示すように、緊急ボタン１１を操作した会員の居る場所を無線機ＩＤ（Ｙ１〜Ｙ１１）から特定して監視モニター３１に表示させる。また、集中監視モニター装置３０は、ワイヤレス無線機２０からの会員ＩＤから会員に関する情報を表示させる。
【００１８】
会員に関する情報としては、氏名、年齢、顔写真、持病、連絡先、保険証番号等である。これらの会員に関する情報は、スポーツクラブへの入会時に予め取得されているものである。
【００１９】
図４は、会員証バンド１０の内部構成の概略を示すブロック図である。同図に示すように、会員証バンド１０には、発信部１２、受信部１３、ボタン信号入力部１４、ＲＯＭ１５、ＲＡＭ１６、表示部１７、制御部１８が設けられている。
【００２０】
発信部１２は、緊急ボタン１１の操作によりボタン信号入力部１４からの信号が制御部１８に取り込まれると、制御部１８による制御により、緊急を知らせる信号と、ＲＡＭ１６に記憶されている会員ＩＤの信号とを発信する。なお、発信部１２からの発信は、たとえば電波によって行われる。
【００２１】
また、発信部１２からの発信出力は、会員の傍にあるワイヤレス無線機２０のみに届くように、低出力となっている。つまり、発信部１２からの発信出力が高出力であると、会員の傍以外のワイヤレス無線機２０にも電波が届いてしまうおそれがあり、このような状況では集中監視モニター装置３０によってワイヤレス無線機２０を特定できなくなってしまう場合があるからである。
【００２２】
また、発信部１２は、図示しない非接触読取装置からの読み取り信号が受信部１３を介して制御部１８に取り込まれると、制御部１８による制御により、ＲＡＭ１６に記憶されている会員ＩＤの信号を発信する。このように、非接触読取装置からの読み取り信号に応じて発信部１２から会員ＩＤの信号が発信されるようにすることで、たとえばスポーツ施設の利用時に受け付けに設置されている図示しない非接触読取装置にかざすだけで、チェックインが可能となる。
【００２３】
また、ロッカーの使用時に、ロッカーに設置されている図示しない非接触読取装置にかざしながら暗証番号を設定する際に、発信部１２から会員ＩＤの信号が発信されるようにすることで、開閉時には会員証バンド１０を図示しない非接触読取装置にかざしながら暗証番号を入力しないと照合されないような仕組みも可能となる。この場合、暗証番号と会員ＩＤとのダブルチェックが行われるため、盗難防止に極めて有効となる。
【００２４】
また、発信部１２から会員ＩＤの信号が発信されるようにすることで、たとえば監視員が携帯用の図示しない非接触読取装置を会員証バンド１０にかざすことにより、その場で上述した会員に関する情報を取得することも可能となる。
【００２５】
受信部１３は、図示しない非接触読取装置からの読み取り信号を受信して制御部１８に通知する。ボタン信号入力部１４は、緊急ボタン１１が操作されたことを示す信号を制御部１８に通知する。
【００２６】
ＲＯＭ１５には、制御部１８の動作に必要な制御プログラム等が記憶されている。ＲＡＭ１６には、上述した会員ＩＤが記憶されている。表示部１７は、たとえば緊急ボタン１１が操作されたことを表示するものであり、たとえばＬＥＤ等によって構成することができる。
【００２７】
制御部１８は、ＲＯＭ１５に記憶されている制御プログラムに基づいて各部の動作を制御する。また、制御部１８は、緊急ボタン１１の誤操作等をキャンセルする機能を有している。すなわち、緊急ボタン１１の誤操作後、再度緊急ボタン１１が長押しされるか、又は２度押しされると、緊急ボタン１１の操作をキャンセルする。この場合、表示部１７の表示を停止させる。なお、緊急ボタン１１の操作のキャンセルは、会員自ら行う場合、監視員が行う場合とがある。
【００２８】
図５は、ワイヤレス無線機２０の内部構成の概略を示すブロック図である。同図に示すように、ワイヤレス無線機２０は、受信部２１、ＲＯＭ２２、ＲＡＭ２３、送信部２４、インタフェース部２５、制御部２６を有している。
【００２９】
受信部２１は、会員証バンド１０からの緊急ボタン１１の操作による緊急を知らせる信号と会員ＩＤの信号とを受信する。ＲＯＭ２２には、制御部１８の動作に必要な制御プログラム等が記憶されている。
【００３０】
ＲＡＭ２３には、無線機ＩＤ（Ｙ１〜Ｙ１１）のいずれかが記憶されている。送信部２４は、インタフェース部２５を介して受信した緊急ボタン１１の操作による緊急を知らせる信号と会員ＩＤの信号とを集中監視モニター装置３０に送信する。
【００３１】
インタフェース部２５は、集中監視モニター装置３０に対し無線、又は有線によって接続される部位である。
【００３２】
制御部２６は、ＲＯＭ２２に記憶されている制御プログラムに基づいて各部の動作を制御する。制御部２６による主な制御としては、受信部２１によって会員証バンド１０からの緊急ボタン１１の操作による緊急を知らせる信号と会員ＩＤの信号とが受信されると、これらの信号とＲＡＭ２３に記憶されているいずれかの無線機ＩＤ（Ｙ１〜Ｙ１１）の信号とを送信部２４に対して送信させることである。
【００３３】
なお、複数の会員証バンド１０からの緊急ボタン１１の操作による緊急を知らせる信号と会員ＩＤの信号とがほぼ同時に受信された場合には、たとえば自己のいずれかの無線機ＩＤ（Ｙ１〜Ｙ１１）の信号に続けて複数の会員ＩＤの信号が送信されるようになっている。また、信号の送信順にあっては、複数の会員ＩＤの信号に続いて自己のいずれかの無線機ＩＤ（Ｙ１〜Ｙ１１）の信号が送信されるようにしてもよい。
【００３４】
図６は、集中監視モニター装置３０の内部構成の概略を示すブロック図である。同図に示すように、集中監視モニター装置３０は、インタフェース部３２、受信部３３、緊急信号判別部３４、無線機ＩＤ判別部３５、会員ＩＤ判別部３６、会員情報記憶部３７、表示制御部３８、制御部３９を有している。
【００３５】
インタフェース部３２は、ワイヤレス無線機２０に対し無線、又は有線によって接続される部位である。
【００３６】
受信部３３は、インタフェース部３２を介してワイヤレス無線機２０からの緊急を知らせる信号と、会員ＩＤの信号と、無線機ＩＤ（Ｙ１〜Ｙ１１）の信号とを受信する。
【００３７】
緊急信号判別部３４は、受信部３３によって受信された信号から緊急を知らせる信号の有無を判別し、緊急を知らせる信号がある場合は制御部３９に通知する。
【００３８】
無線機ＩＤ判別部３５は、受信部３３によって受信された信号から無線機ＩＤ（Ｙ１〜Ｙ１１）の信号の有無を判別し、無線機ＩＤ（Ｙ１〜Ｙ１１）の信号がある場合は、その無線機ＩＤ（Ｙ１〜Ｙ１１）を制御部３９に通知する。
【００３９】
会員ＩＤ判別部３６は、受信部３３によって受信された信号から会員ＩＤの信号の有無を判別し、会員ＩＤの信号がある場合は、その会員ＩＤを制御部３９に通知する。
【００４０】
会員情報記憶部３７には、上述した会員に関する情報としての、氏名、年齢、顔写真、持病、連絡先、保険証番号等が記憶されている。
【００４１】
表示制御部３８は、制御部３９による制御により、図３に示したように、監視モニター３１に、緊急ボタン１１を操作した会員に居る場所を無線機ＩＤ（Ｙ１〜Ｙ１１）から特定して表示させるとともに、会員ＩＤに対応する会員に関する情報を表示させる。
【００４２】
制御部３９は、緊急信号判別部３４からの通知を受けると、無線機ＩＤ判別部３５からの無線機ＩＤ（Ｙ１〜Ｙ１１）に基づいて緊急ボタン１１を操作した会員の居る場所を特定し、さらに会員ＩＤ判別部３６からの会員ＩＤに基づき、会員情報記憶部３７に記憶されている、会員に関する情報としての、氏名、年齢、顔写真、持病、連絡先、保険証番号等を読み出し、表示制御部３８の表示を制御する。
【００４３】
次に、ライフガード方法について説明する。まず、図７に示すように、ワイヤレス無線機２０を更衣室、トイレ、ジャグジー、プール、スタジオ、トレーニングルームのそれぞれに設置するとともに、それぞれのワイヤレス無線機２０に無線機ＩＤ（Ｙ１〜Ｙ１１）を割り振り、その無線機ＩＤ（Ｙ１〜Ｙ１１）と設置場所との対応関係を集中監視モニター装置３０の無線機ＩＤ判別部３５に登録しておく（ステップＳ１）。
【００４４】
ここで、図１に示したように、無線機ＩＤ（Ｙ１）のワイヤレス無線機２０は女性用の更衣室であり、無線機ＩＤ（Ｙ２）のワイヤレス無線機２０は男性用の更衣室であることが対応付けられている。
【００４５】
また、無線機ＩＤ（Ｙ３）のワイヤレス無線機２０は男性用トイレであり、無線機ＩＤ（Ｙ４）のワイヤレス無線機２０は女性用のトイレであることが対応付けられている。
【００４６】
また、無線機ＩＤ（Ｙ５）のワイヤレス無線機２０はジャグジーであり、無線機ＩＤ（Ｙ６〜Ｙ９）のワイヤレス無線機２０はプールであり、無線機ＩＤ（Ｙ１０）のワイヤレス無線機２０はスタジオであり、無線機ＩＤ（Ｙ１１）のワイヤレス無線機２０はトレーニングルームであることが対応付けられている。
【００４７】
次いで、スポーツクラブへの入会時において、会員受け付けを行う（ステップＳ２）。この場合、会員に関する情報として、氏名、年齢、顔写真、持病、連絡先、保険証番号等を利用者から取得し、さらに会員ＩＤを割り当てた後、その会員ＩＤに対応させた会員に関する情報を集中監視モニター装置３０の会員情報記憶部３７に記憶させておく。
【００４８】
そして、会員受け付けを行った会員に対しては、会員ＩＤが割り当てられた会員証バンド１０を渡しておく（ステップＳ３）。以降、スポーツ施設を利用する場合は、利用者が常にその会員証バンド１０をたとえば手首に装着しているだけで、スポーツ施設の利用の際に、受け付けに設置されている図示しない非接触読取装置にかざすだけで、チェックインが可能となる。
【００４９】
これにより、受け付けの無人化が可能となり、新規入会の利用者に対応するスタッフのみが待機していればよく、受け付けが必要最小限のスタッフで済むことになる。
【００５０】
また、利用者は、スポーツ施設内において、たとえばロッカーを利用することになるが、そのロッカーの使用時には、ロッカーに設置されている図示しない非接触読取装置にかざしながら暗証番号を設定する。その際、非接触読取装置からの読み取り信号が会員証バンド１０の受信部１３によって受信されると、発信部１２から会員ＩＤの信号が発信されることで、開閉時には会員証バンド１０を図示しない非接触読取装置にかざしながら暗証番号を入力しないと照合されない。これにより、暗証番号と会員ＩＤとのダブルチェックが行われるため、盗難防止に極めて有効となる。
【００５１】
ここで、利用者が男性用トイレで体調が悪くなり、会員証バンド１０の緊急ボタン１１を操作すると（ステップＳ４）、会員証バンド１０の制御部１８によりＲＡＭ１６に記憶されている会員ＩＤが読み取られ、発信部１２から緊急を知らせる信号と、会員ＩＤの信号とが発信される（ステップＳ５）。
【００５２】
このとき、会員証バンド１０の表示部１７が点灯又は点滅することで、緊急ボタン１１の操作ありが表示される（ステップＳ６）。なお、利用者が誤って緊急ボタン１１を操作した場合には、その表示部１７の点灯又は点滅により、緊急ボタン１１の誤操作を確認できるので、その際は上述したように、再度緊急ボタン１１を長押しするか、又は２度押しすると、制御部１８により、緊急ボタン１１の誤操作等がキャンセルされる。この場合、表示部１７の点灯又は点滅が制御部１８によって停止されることで、誤操作等のキャンセルが確認できる。
【００５３】
ここで、男性用トイレに設置されているワイヤレス無線機２０の受信部２１によって緊急を知らせる信号と、会員ＩＤの信号とが受信されると（ステップＳ７）、制御部２６がＲＡＭ２３に記憶されている無線機ＩＤ（Ｙ３）を読み取り、送信部２４及びインタフェース部２５を介して緊急を知らせる信号と、会員ＩＤの信号と、無線機ＩＤ（Ｙ３）の信号とを集中監視モニター装置３０に送信する（ステップＳ８）。
【００５４】
集中監視モニター装置３０では、インタフェース部３２を介して受信部３３により、ワイヤレス無線機２０からの緊急を知らせる信号と、会員ＩＤの信号と、無線機ＩＤ（Ｙ３）の信号とが受信されると（ステップＳ９）、緊急信号判別部３４により、受信部３３によって受信された信号から緊急を知らせる信号の有無が判別され、緊急を知らせる信号がある場合は制御部３９に通知する（ステップＳ１０）。
【００５５】
また、無線機ＩＤ判別部３５は、受信部３３によって受信された信号から無線機ＩＤの信号の有無を判別し、無線機ＩＤの信号がある場合は、その無線機ＩＤを制御部３９に通知する（ステップＳ１１）。ここでは、無線機ＩＤ（Ｙ３）があると判別される。
【００５６】
また、会員ＩＤ判別部３６は、受信部３３によって受信された信号から会員ＩＤの信号の有無を判別し、会員ＩＤの信号がある場合は、その会員ＩＤを制御部３９に通知する（ステップＳ１２）。
【００５７】
これにより、制御部３９は、緊急信号判別部３４からの通知を受けると、無線機ＩＤ判別部３５からの無線機ＩＤ（Ｙ３）に基づいて緊急ボタン１１を操作した会員に居る場所を特定し、さらに会員ＩＤ判別部３６からの会員ＩＤに基づき、会員情報記憶部３７に記憶されている、会員に関する情報としての、氏名、年齢、顔写真、持病、連絡先、保険証番号等を読み出し、表示制御部３８の表示を制御する。
【００５８】
そして、図３で説明したように、監視モニター３１には、緊急ボタン１１を操作した会員の居る場所と、緊急を知らせる情報と、会員に関する情報としての、氏名、年齢、顔写真、持病、連絡先、保険証番号等が表示される（ステップＳ１３）。
【００５９】
これにより、集中監視モニター装置３０に待機しているスタッフは緊急事態を即座に把握することができ、スポーツ施設内の他のスタッフへ会員に関する情報や緊急ボタン１１を操作した会員の居る場所を連絡することができる。
【００６０】
このように、本実施例では、会員が装着する装着具としての会員証バンド１０の操作手段としての緊急ボタン１１の操作により、少なくとも緊急を知らせる信号が送信され、無線機としてのワイヤレス無線機２０により、緊急を知らせる信号を受信して該緊急を知らせる信号が送信されると、集中監視モニター装置３０側では、ワイヤレス無線機２０からの緊急を知らせる信号を基に、表示手段としての監視モニター３１に緊急のあることが表示されるようにしたので、会員のプライバシーを保ちつつ、会員のライフガードを確実に行うことができる。
【００６１】
また、本実施例では、ワイヤレス無線機２０からの記憶手段としてのＲＡＭ２３に記憶されている無線機ＩＤ（Ｙ１〜Ｙ１１）が送信され、集中監視モニター装置３０の無線機ＩＤ判別手段としての無線機ＩＤ判別部３５により無線機ＩＤ（Ｙ１〜Ｙ１１）が判別されると、その無線機ＩＤ（Ｙ１〜Ｙ１１）を基に監視モニター３１に緊急を知らせた会員の場所が特定して表示されることから、緊急を知らせた会員の場所を即座に判別することができる。
【００６２】
また、緊急を知らせた会員の場所を即座に判別することができることから、監視員が必要最小人数で済むという効果も得られる。また、ワイヤレス無線機２０を多くの場所に設置すれば、場所の得意をより細かく行うことができる。
【００６３】
また、本実施例では、会員証バンド１０の記憶手段としてのＲＡＭ１６に記憶されている会員ＩＤを基に、会員情報記憶手段としての会員情報記憶部３７に記憶されている会員に関する情報としての、氏名、年齢、顔写真、持病、連絡先、保険証番号等が読み出されて監視モニター３１に表示されるようにしたので、緊急を知らせた会員に関する情報を即座に確認することができる。
【００６４】
また、本実施例では、会員証バンド１０に、図示しない非接触読取装置からの読み取り信号を受信する受信手段としての受信部１３を設け、非接触読取装置からの読み取り信号に応じて会員ＩＤの信号が送信されるようにしたので、たとえばロッカーの使用時に、ロッカーに設置されている図示しない非接触読取装置にかざしながら暗証番号を設定することにより、ロッカーの開閉時には会員証バンド１０を図示しない非接触読取装置にかざしながら暗証番号を入力しないと照合されないことから、暗証番号と会員ＩＤとのダブルチェックが行われ、盗難防止に極めて有効となる。
【００６５】
また、会員証バンド１０の発信部１２から会員ＩＤの信号が発信されるようにすることで、たとえば監視員が携帯用の図示しない非接触読取装置を会員証バンド１０にかざすことにより、その場で上述した会員に関する情報を即座に取得することも可能となる。
【００６６】
また、会員に関する情報としての、氏名、年齢、顔写真、持病、連絡先、保険証番号等が読み出されて監視モニター３１に表示されることで、緊急を知らせた会員に関する情報を即座に確認することができ、救急隊員が病院に搬送する際に会員に関する情報をプリントアウトして救急隊員に渡すことができ、会員からの聴き取り等の手間が省ける。
【００６７】
なお、会員証バンド１０にあっては、単にゴム製に限らず、防水性があればよくプラスチック製等の他の部材であってもよい。また、会員証バンド１０には、小粒の磁性体やラジウムを装填しておくことも可能であり、その会員証バンド１０を常時手首等に装着しておくことで、血行作用等が良くなる等の効果も得られる。
【００６８】
なお、本実施例では、会員証バンド１０を手首に装着するものとして説明したが、この例に限らず、会員自ら緊急ボタン１１を操作できる場所に装着するものであればよく、会員の体の一部に装着できるものであればバンド形態以外のものであってもよい。
【産業上の利用可能性】
【００６９】
スポーツ施設に限らず、スーパー銭湯等のように不特定多数が利用する大型施設でのライフガードシステムにも適用可能である。
【図面の簡単な説明】
【００７０】
【図１】本発明のライフガードシステムの一実施例を示す図である。
【図２】図１のライフガードシステムにおける会員証バンドを説明するための図である。
【図３】図１の集中監視モニター装置の監視モニターによる表示内容を説明するための図である。
【図４】図２の会員証バンドの内部構成の概略を示すブロック図である。
【図５】図１のワイヤレス無線機の内部構成の概略を示すブロック図である。
【図６】図１の集中監視モニター装置の内部構成の概略を示すブロック図である。
【図７】図１のライフガードシステムにおけるライフガード方法を説明するためのフローチャートである。
【符号の説明】
【００７１】
１０  会員証バンド
１１  緊急ボタン（操作手段）
１２  発信部
１３  受信部（受信手段）
１４  ボタン信号入力部
１５  ＲＯＭ
１６  ＲＡＭ（記憶手段）
１７  表示部
１８  制御部
２０  ワイヤレス無線機
２１  受信部
２２  ＲＯＭ
２３  ＲＡＭ（記憶手段）
２４  送信部
２５  インタフェース部
２６  制御部
３０  集中監視モニター装置
３１  監視モニター（表示手段）
３２  インタフェース部
３３  受信部
３４  緊急信号判別部
３５  無線機ＩＤ判別部（無線機ＩＤ判別手段）
３６  会員ＩＤ判別部（会員ＩＤ判別手段）
３７  会員情報記憶部（会員情報記憶手段）
３８  表示制御部
３９  制御部
【図１】
2007280004.tif 000003
【図２】
2007280004.tif 000004
【図３】
2007280004.tif 000005
【図４】
2007280004.tif 000006
【図５】
2007280004.tif 000007
【図６】
2007280004.tif 000008
【図７】
2007280004.tif 000009